(57)【特許請求の範囲】
【請求項１】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＩＥＥＥ８０２．１１ｅ規格で規定されるＥＤＣＡ（Enhanced Distributed Coordination Access）方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
ＥＤＣＡのアクセスカテゴリの一つであるＡＣ＿ＶＯに属する通信のトラフィック量を監視し、一定値以上のトラフィック量を送信するＳＴＡの台数（計測値１）を計測する機能と、
ＥＤＣＡのアクセスカテゴリの一つであるＡＣ＿ＶＩに属する通信のトラフィック量を監視し、一定値以上のトラフィック量を送信するＳＴＡの台数（計測値２）を計測する機能と、
前記基地局が使用するチャネルにおいて一定期間内に該チャネルが使用される時間を計測した結果を無線チャネル使用率（計測値３）とする機能と、
を備える計測部と、
ＡＣ＿ＶＯに属するトラフィックを一定値以上送信するＳＴＡ台数とチャネル使用率とＥＤＣＡパラメータセットの関係が記述された、あらかじめ用意されたテーブル１と前記計測値１および前記計測値３から「ＥＤＣＡパラメータセット１」を計算し、また、ＡＣ＿ＶＩに属するトラフィックを一定値以上送信するＳＴＡ台数とチャネル使用率とＥＤＣＡパラメータセットの関係が記述された、あらかじめ用意されたテーブル２と前記計測値２および前記計測値３から「ＥＤＣＡパラメータセット２」を計算し、「ＥＤＣＡパラメータセット１」と「ＥＤＣＡパラメータセット２」を比較した結果として、適切な方を前記基地局と通信を行う前記ＳＴＡのＥＤＣＡアクセスパラメータセット、および、前記基地局自身が通信を行う際に使用するＥＤＣＡアクセスパラメータセットとして決定するアクセスパラメータ決定部と、
を具備する無線基地局。
【請求項２】
請求項１に記載の無線基地局において、
前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリのそれぞれに対応するコンテンションウインドウの最小値であるＣＷｍｉｎ値を合計した値が大きい方を適切なＥＤＣＡパラメータセットとして決定する無線基地局。
【請求項３】
請求項１に記載の無線基地局において、
前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリに対応するコンテンションウインドウの最小値であるＣＷｍｉｎ値を「ＥＤＣＡパラメータセット１」と「ＥＤＣＡパラメータセット２」で比較した場合に、両者が同等でない値をもつ最も高いプライオリティのアクセスカテゴリにおいて、ＣＷｍｉｎ値が大きい方を適切なＥＤＣＡパラメータセットとして決定する無線基地局。
【請求項４】
請求項１に記載の無線基地局において、
前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリのそれぞれに対応するコンテンションウインドウの最大値であるＣＷｍａｘ値を合計した値が大きい方を適切なＥＤＣＡパラメータセットとして決定する無線基地局。
【請求項５】
請求項１に記載の無線基地局において、
前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリに対応するコンテンションウインドウの最大値であるＣＷｍａｘ値を「ＥＤＣＡパラメータセット１」と「ＥＤＣＡパラメータセット２」で比較した場合に、両者が同等でない値をもつ最も高いプライオリティのアクセスカテゴリにおいて、ＣＷｍａｘ値が大きい方を適切なＥＤＣＡパラメータセットとして決定する無線基地局。
【請求項６】
請求項１に記載の無線基地局において、
前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリのそれぞれに対応する連続的に送信可能な時間であるＴＸＯＰ  ｌｉｍｉｔ値を合計した値が大きい方を適切なＥＤＣＡパラメータセットとして決定する無線基地局。
【請求項７】
請求項１に記載の無線基地局において、
前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリに対応する連続的に送信可能な時間であるＴＸＯＰ  ｌｉｍｉｔ値を「ＥＤＣＡパラメータセット１」と「ＥＤＣＡパラメータセット２」で比較した場合に、両者が同等でない値をもつ最も高いプライオリティのアクセスカテゴリにおいて、ＴＸＯＰ  ｌｉｍｉｔ値が大きい方を適切なＥＤＣＡパラメータセットとして決定する無線基地局。
【発明の詳細な説明】
【技術分野】
【０００１】
本発明は無線アクセス方式にＩＥＥＥ８０２．１１ｅ規格を採用する無線基地局に関する。
【背景技術】
【０００２】
ＩＥＥＥ８０２．１１ｅは米国の標準化団体ＩＥＥＥ（Institute of Electrical and Electronics Engineers）により標準化された無線ＬＡＮ通信方式の規格であるＩＥＥＥ８０２．１１（例えば非特許文献１参照）の一つである。ＩＥＥＥ８０２．１１ｅは、ＩＥＥＥ８０２．１１通信方式においてＱｏＳ（Quality of Service）機能を実現するものである。その機能は大きく分けて２つのアクセス方式により実現されている。一つはＥＤＣＡ（Enhanced Distributed Coordination Access）と呼ばれる方式であり、パケットを４つのアクセスカテゴリに分け、プライオリティの高いパケットを優先的に取り扱う方式である。もう一つは、ＨＣＣＡ（HCF Controlled Channel Access）と呼ばれる、ＨＣＦ（Hybrid Coordination Function）であり、ポーリングを使ったＨＣ（Hybrid Coordinator）による集中制御を実現する方式である。
【０００３】
ＥＤＣＡは従来のＩＥＥＥ８０２．１１で使用されていたＤＣＦ（Distributed Coordination Function）を拡張したアクセス方式であり、ベストエフォート用のＡＣ＿ＢＥ、背景トラヒック用のＡＣ＿ＢＫ、ビデオ伝送用のＡＣ＿ＶＩ、音声用のＡＣ＿ＶＯの４つのアクセスカテゴリ（ＡＣ）にパケットを分別し、それぞれの優先度に応じた送信を行う。送信手順は次に述べる方法で行われる。それぞれのアクセスカテゴリのキューに送信するパケットが格納されると、まずＡＩＦＳ（Arbitration Inter Frame Space）と呼ばれる待ち時間で送信待機した後、ランダムバックオフの手順が開始される。ランダムバックオフは０からコンテンションウインドウのサイズ（ＣＷ）までの整数をランダムに選択し、一定値で決定されているスロットタイムについて選択したＣＷ値を整数倍した時間だけ送信待機する。待機時間をランダムにするのは、基地局と通信を行う無線端末（ＳＴＡ）が同じ待ち時間の間待機した後、一斉に送信を開始するのではパケットの衝突が発生するので、それを避けるためである。このランダムバックオフ時間は使用しているチャネルで他のＳＴＡの通信を受信しない、また、他のアクセスカテゴリが送信を開始しなければ、スロットタイムごとに消費されていき、最も早くバックオフ時間が０になったアクセスカテゴリが送信権を獲得し、送信を開始する。２つ以上のアクセスカテゴリのバックオフ時間が同時に０になった場合、あらかじめ決められた優先度に従い、プライオリティの高いアクセスカテゴリが送信権を得る。送信権を得たアクセスカテゴリは、ＴＸＯＰ（Transmission Opportunity）の間送信が可能である。パケットが衝突し送信が失敗した場合、およびアクセスカテゴリ間の競合衝突により送信されなかったカテゴリは、ＣＷ値を２倍にし、再度送信手順を開始する。この際、ＣＷ値の初期値はＣＷｍｉｎで決定され、最大値ＣＷｍａｘを超えない値とされる。ＣＷｍｉｎ、ＣＷｍａｘはＥＣＷｍｉｎ、ＥＣＷｍａｘにより、以下のように計算される。
【０００４】
ＣＷｍｉｎ＝２ＥＣＷｍｉｎ−１
ＣＷｍａｘ＝２ＥＣＷｍａｘ−１
【０００５】
４つのアクセスカテゴリごとにこのＡＩＦＳ、ＣＷｍｉｎ、ＣＷｍａｘを決定するＥＣＷｍｉｎ、ＥＣＷｍａｘ値、および送信権獲得後の送信可能時間ＴＸＯＰが独立に設定され、アクセスカテゴリのプライオリティに応じた値に設定することにより、相対的な優先制御を可能としている。これらの値はＥＤＣＡアクセスパラメータと呼ばれ、基地局からＳＴＡにビーコン信号などで報知され、ＳＴＡはこのパラメータを利用して送信する。また、基地局で使用する当該アクセスパラメータは、ＳＴＡに報知するアクセスパラメータとは独立に設定しても良い。
【０００６】
【非特許文献１】守倉正博著、久保田周治監修、「改訂８０２．１１高速無線ＬＡＮ教科書」、出版社：ＩＤＧジャパン、ｐ．１３２〜ｐ．１３６
【発明の開示】
【発明が解決しようとする課題】
【０００７】
ＥＤＣＡを用いた送信の優先付けにより、プライオリティの高いパケットが優先的に送信されることになるが、プライオリティの高いパケットのＣＷ（Contention Window）のサイズを短くすることで優先度を高めることは、パケット衝突率が増加する危険性がある。即ち、衝突回避アルゴリズムであるランダムバックオフのランダム性が低下することで、ＳＴＡ台数が増加した場合にパケット衝突率が高くなる。このことはつまり、ＶｏＩＰのようにリアルタイム性が必要な高いプライオリティのトラフィックが多くのＳＴＡから送信された場合には、個々のＳＴＡのスループットが低下する問題があることを意味する。
【０００８】
これを解決する手段として、本出願人は特願２００５−０５８９６２号を既に出願している。この発明では、基地局におけるＡＣ＿ＶＯのアクセスカテゴリに属する通信について、一定期間内に各ＳＴＡから受信するトラフィック量を取得し、そのトラフィック量が一定値を超えたＳＴＡの台数を数える。この台数により、あらかじめ設定された閾値に応じて、ＥＤＣＡパラメータセットの値を決定するという方法でプライオリティが高いトラフィックを送信する台数が増加し、フレームの衝突率が高い状況においてスループットを改善することが記載されている。またＡＣ＿ＶＩに関しても同様の方法による解決手段が示されている。さらに、チャネル使用率の増加に従い、ＥＤＣＡパラメータセットの値を決定する方法も記載されている。
【０００９】
前記特願２００５−０５８９６２号に記載の方法では、ＡＣ＿ＶＯもしくはＡＣ＿ＶＩのどちらか一方に関してトラフィックを送信するＳＴＡ台数を数えることによりＥＤＣＡパラメータセットを決定するため、ＡＣ＿ＶＯ、ＡＣ＿ＶＩで送信するＳＴＡが混在した場合に、どちらか一方のアクセスカテゴリでの判断しか行うことができず、スループット改善効果が小さくなるという問題点がある。
【００１０】
本発明の目的は、ＡＣ＿ＶＩ、ＡＣ＿ＶＯで送信するＳＴＡが混在した場合でも、パケット衝突率の増加によるスループットが低下する問題に対して、より良い改善効果を得ることができる技術を提供することにある。
【課題を解決するための手段】
【００１１】
上記問題点に対し、本発明は以下に述べる方法でこれを改善する。
第１〜第７の発明は、基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＩＥＥＥ８０２．１１ｅ規格で規定されるＥＤＣＡ方式を用いて通信を行う機能を備えている無線通信システムにおける基地局であって、ＥＤＣＡアクセスパラメータの計算を行うＥＤＣＡアクセスパラメータ計算部を備える基地局であり、次の点を特徴とする。
【００１２】
第１の発明は、前記アクセスパラメータ計算部は、ＥＤＣＡのアクセスカテゴリの一つであるＡＣ＿ＶＯに属する通信のトラフィック量を監視し、一定値以上のトラフィック量を送信するＳＴＡの台数（計測値１）を計測する機能と、ＥＤＣＡのアクセスカテゴリの一つであるＡＣ＿ＶＩに属する通信のトラフィック量を監視し、一定値以上のトラフィック量を送信するＳＴＡの台数（計測値２）を計測する機能と、前記基地局が使用するチャネルにおいて一定期間内に該チャネルが使用される時間を計測した結果を無線チャネル使用率（計測値３）とする機能を備える計測部と、ＡＣ＿ＶＯに属するトラフィックを一定値以上送信するＳＴＡ台数とチャネル使用率とＥＤＣＡパラメータセットの関係が記述された、あらかじめ用意されたテーブル１と計測値１および計測値３から「ＥＤＣＡパラメータセット１」を計算し、また、ＡＣ＿ＶＩに属するトラフィックを一定値以上送信するＳＴＡ台数とチャネル使用率とＥＤＣＡパラメータセットの関係が記述された、あらかじめ用意されたテーブル２と計測値２および計測値３から「ＥＤＣＡパラメータセット２」を計算し、「ＥＤＣＡパラメータセット１」と「ＥＤＣＡパラメータセット２」を比較した結果として、適切な方を前記基地局と通信を行う前記ＳＴＡのＥＤＣＡアクセスパラメータセット、および、該基地局自身が通信を行う際に使用するＥＤＣＡアクセスパラメータセットとして決定するアクセスパラメータ決定部と、を具備することを特徴とする。
【００１３】
第２の発明は、前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリのそれぞれに対応するコンテンションウインドウの最小値であるＣＷｍｉｎ値を合計した値が大きい方を適切なＥＤＣＡパラメータセットとして決定することを特徴とする。
【００１４】
第３の発明は、前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリに対応するコンテンションウインドウの最小値であるＣＷｍｉｎ値を「ＥＤＣＡパラメータセット１」と「ＥＤＣＡパラメータセット２」で比較した場合に、両者が同等でない値をもつ最も高いプライオリティのアクセスカテゴリにおいて、ＣＷｍｉｎ値が大きい方を適切なＥＤＣＡパラメータセットとして決定することを特徴とする。
【００１５】
第４の発明は、前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリのそれぞれに対応するコンテンションウインドウの最大値であるＣＷｍａｘ値を合計した値が大きい方を適切なＥＤＣＡパラメータセットとして決定することを特徴とする。
【００１６】
第５の発明は、前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリに対応するコンテンションウインドウの最大値であるＣＷｍａｘ値を「ＥＤＣＡパラメータセット１」と「ＥＤＣＡパラメータセット２」で比較した場合に、両者が同等でない値をもつ最も高いプライオリティのアクセスカテゴリにおいて、ＣＷｍａｘ値が大きい方を適切なＥＤＣＡパラメータセットとして決定することを特徴とする。
【００１７】
第６の発明は、前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリのそれぞれに対応する連続的に送信可能な時間であるＴＸＯＰ  ｌｉｍｉｔ値を合計した値が大きい方を適切なＥＤＣＡパラメータセットとして決定することを特徴とする。
【００１８】
第７の発明は、前記アクセスパラメータ決定部は、前記の「ＥＤＣＡパラメータセット１」と「ＥＤＣＡパラメータセット２」の比較において、ＡＣ＿ＢＥ、ＡＣ＿ＢＫ、ＡＣ＿ＶＩ、ＡＣ＿ＶＯの４つのアクセスカテゴリに対応する連続的に送信可能な時間であるＴＸＯＰ  ｌｉｍｉｔ値を「ＥＤＣＡパラメータセット１」と「ＥＤＣＡパラメータセット２」で比較した場合に、両者が同等でない値をもつ最も高いプライオリティのアクセスカテゴリにおいて、ＴＸＯＰ  ｌｉｍｉｔ値が大きい方を適切なＥＤＣＡパラメータセットとして決定することを特徴とする。
【発明の効果】
【００１９】
以上述べた手段を用いることにより、従来の方式ではＡＣ＿ＶＩ、ＡＣ＿ＶＯで送信するＳＴＡが混在し、台数が増加した場合にはどちらか一方で判断するため、パケット衝突率の増加によるスループットが低下する問題に対して最適な改善効果が得られなかった問題に対して、より良い改善効果を得ることができる。
【発明を実施するための最良の形態】
【００２０】
以下、本発明の実施形態について、図を参照しながら説明する。
本発明の実施形態としては、図１に示すように基地局（ＡＰ）（ａ１）と無線端末であるＳＴＡ（ａ２、ａ３）からなる形態の通信システムにおいて、ＳＴＡは基地局とＥＤＣＡ方式で通信を行う状況を想定している。基地局（ａ１）およびＳＴＡ（ａ２、ａ３）はＩＥＥＥ８０２．１１ｅに準拠した装置でありＥＤＣＡパラメータセットを計算する機能を備えている。なお、図１においてはＳＴＡとしてａ２、ａ３だけを示しているが、これは多数存在しているＳＴＡを代表して図示したものであり、実際には基地局（ａ１）と通信可能なエリア内に多数のＳＴＡが存在することができる。
【００２１】
図２に基地局（ＡＰ）のシステム構成図を示す。基地局（ａ１）は、ＥＤＣＡアクセスパラメータセットの計算を行うアクセスパラメータ計算部（ｂ１）と、ＳＴＡ用アクセスパラメータセットをＳＴＡ（ａ２、ａ３）に送信するＳＴＡ用アクセスパラメータ送信部（ｂ４）と、ＡＰ（ａ１）用のアクセスパラメータセットを更新するＡＰ用アクセスパラメータ更新部（ｂ５）とを備える。アクセスパラメータ計算部（ｂ１）は、必要な各種統計値を取得し図示しない記憶装置に記憶する計測部（ｂ２）と、ＡＰ用、ＳＴＡ用のＥＤＣＡパラメータセットを決定するアクセスパラメータ決定部（ｂ３）を備える。計測部（ｂ２）は、ＥＤＣＡのアクセスカテゴリの一つであるＡＣ＿ＶＯに属する通信のトラフィック量を監視し、一定値以上のトラフィック量を送信するＳＴＡの台数を計測する機能と、ＥＤＣＡのアクセスカテゴリの一つであるＡＣ＿ＶＩに属する通信のトラフィック量を監視し、一定値以上のトラフィック量を送信するＳＴＡの台数を計測する機能と、基地局（ａ１）が使用するチャネルにおいて一定期間内にチャネルが使用される時間を計測した結果を無線チャネル使用率とする機能と、を備える。図２には示していないが、基地局（ａ１）およびアクセスパラメータ計算部（ｂ１）がＩＥＥＥ８０２．１１ｅに準拠したその他の必要な機能を有していることはいうまでもない。
【００２２】
図３は基地局（ａ１）のＥＤＣＡパラメータ更新手順を示すフローチャートである。基地局（ａ１）は図３に示すフローチャートのように、まず計測部（ｂ２）がＥＤＣＡパラメータ更新の判定をするために必要な各種統計値を取得する（ｃ１）。次にアクセスパラメータ決定部（ｂ３）が、統計値からあらかじめ設定された条件に従い、通信環境に適したＥＤＣＡパラメータセットを選択（決定）する（ｃ２）。アクセスパラメータ決定部（ｂ３）が選択したＥＤＣＡパラメータセットは、ＳＴＡ用のパラメータセットについては、ＳＴＡ用アクセスパラメータ送信部（ｂ４）が、基地局（ａ１）が報知するビーコンフレームなど、ＥＤＣＡパラメータセットが含まれるフレームによりＳＴＡ（ａ２、ａ３）に報知される（ｃ３）。基地局用のパラメータセットに関しては、ＡＰ用アクセスパラメータ更新部（ｂ５）がＡＰ用アクセスパラメータセットを更新し（ｃ４）、基地局（ａ１）は以後この値を使用して通信を行う。
【００２３】
図４に基地局（ＡＰ）と通信を行う無線端末（ＳＴＡ）のシステム構成図を示す。ＳＴＡ（ａ２、ａ３）は、ＳＴＡ用アクセスパラメータセットを基地局（ａ１）から取得するＳＴＡ用アクセスパラメータ取得部（ｄ１）と、ＳＴＡ用アクセスパラメータセットを更新するＳＴＡ用アクセスパラメータ更新部（ｄ２）とを備える。図４には示していないが、ＳＴＡ（ａ２、ａ３）がＩＥＥＥ８０２．１１ｅに準拠したその他の必要な機能を有していることはいうまでもない。
【００２４】
図５はＳＴＡ（ａ２、ａ３）のＥＤＣＡパラメータ受信手順を示すフローチャートである。図５に示すように、ＳＴＡ（ａ２、ａ３）は基地局から報知されるＥＤＣＡパラメータセット受信動作を行い、ＳＴＡ用アクセスパラメータセット取得部（ｄ１）が受信したフレームに含まれていたＥＤＣＡパラメータセットを取り出す（ｅ１）。次に、ＳＴＡ用アクセスパラメータ更新部（ｄ２）がＳＴＡ用アクセスパラメータセットを更新する（ｅ２）。そのパラメータを用いて以後の通信を行う。
【００２５】
以上が本発明の実施形態の基本的な動作である。具体的には図２の計測部（ｂ２）およびアクセスパラメータ決定部（ｂ３）は以下の実施形態１〜７に示すように統計値を取得してＥＤＣＡパラメータを決定する。
【００２６】
（実施形態１）
実施形態１では、計測部（ｂ２）はＥＤＣＡのアクセスカテゴリの１つであるＡＣ＿ＶＯのカテゴリに属する通信について、一定期間内に各ＳＴＡから受信するトラフィック量を監視し、そのトラフィック量があらかじめ設定された一定量を超えたＳＴＡの台数を計測し、その計測値（「ＡＣ＿ＶＯのＳＴＡ台数」）を図示していない記憶装置に格納する。また、計測部（ｂ２）は、使用している周波数において電波が使用されている時間率である「チャネル使用率」を計測し、その計測値を図示していない記憶装置に格納する。計測部（ｂ２）が計測した「ＡＣ＿ＶＯのＳＴＡ台数」と「チャネル使用率」を用いて、アクセスパラメータ決定部（ｂ３）は、図６に示す、あらかじめ閾値（ｆ２、ｆ３、ｆ４、ｆ５）が設定されたテーブルに従い、「ＥＤＣＡパラメータセットの値（ＡＣ＿ＶＯ）」を決定する。このテーブルは、ＡＣ＿ＶＯに属するトラフィックを一定値以上送信するＳＴＡ台数とチャネル使用率とＥＤＣＡパラメータセットの関係が記述された、あらかじめ用意されたテーブルであればよい。
【００２７】
図６は、ＡＣ＿ＶＯでのＥＤＣＡパラメータセットの決定方法を示す図である。縦軸はチャネル使用率（ｆ１）であり、あらかじめ閾値１−ＶＯ（ｆ３）、閾値２−ＶＯ（ｆ２）が設定されている。横軸はＡＣ＿ＶＯで一定レート以上の送信を行うＳＴＡ台数（ｆ６）すなわち「ＡＣ＿ＶＯのＳＴＡ台数」であり、あらかじめ閾値１−ＶＯ（ｆ４）、閾値２−ＶＯ（ｆ５）が設定されている。ｆ７はＥＤＣＡパラメータセット（１）〜（９）である。例えば、計測部（ｂ２）が計測した「チャネル使用率」が閾値１−ＶＯ（ｆ３）以下、計測部（ｂ２）が計測した「ＡＣ＿ＶＯのＳＴＡ台数」が閾値１−ＶＯ（ｆ４）以下、であれば、アクセスパラメータ決定部（ｂ３）は、「ＥＤＣＡパラメータセットの値（ＡＣ＿ＶＯ）」をＥＤＣＡパラメータセット（１）と計算する。計測部（ｂ２）が計測した「チャネル使用率」が閾値１−ＶＯ（ｆ３）を超え閾値２−ＶＯ（ｆ２）以下、計測部（ｂ２）が計測した「ＡＣ＿ＶＯのＳＴＡ台数」が閾値１−ＶＯ（ｆ４）以下、であれば、アクセスパラメータ決定部（ｂ３）は、「ＥＤＣＡパラメータセットの値（ＡＣ＿ＶＯ）」をＥＤＣＡパラメータセット（４）と計算する。なお、アクセスパラメータ決定部（ｂ３）が「ＥＤＣＡパラメータセットの値（ＡＣ＿ＶＯ）」を決定するために使用する、あらかじめ用意されたテーブルは、図６の形に限らず、「チャネル使用率」と「ＡＣ＿ＶＯのＳＴＡ台数」に応じて「ＥＤＣＡパラメータセットの値（ＡＣ＿ＶＯ）」を決めることができるものであればよい。
【００２８】
同様に、計測部（ｂ２）は、ＡＣ＿ＶＩのアクセスカテゴリに属する通信について、一定期間内に各ＳＴＡから受信するトラフィック量を取得し、そのトラフィック量があらかじめ設定された一定量を超えたＳＴＡの台数を計測し、その計測値（「ＡＣ＿ＶＩのＳＴＡ台数」）を図示していない記憶装置に格納する。計測部（ｂ２）が計測した「ＡＣ＿ＶＩのＳＴＡ台数」と「チャネル使用率を」用いて、図７に示す、あらかじめ閾値（ｇ２、ｇ３、ｇ４、ｇ５）が設定されたテーブルに従い、「ＥＤＣＡパラメータセットの値（ＡＣ＿ＶＩ）」を決定する。このテーブルは、ＡＣ＿ＶＩに属するトラフィックを一定値以上送信するＳＴＡ台数とチャネル使用率とＥＤＣＡパラメータセットの関係が記述された、あらかじめ用意されたテーブルであればよい。
【００２９】
図７は、ＡＣ＿ＶＩでのＥＤＣＡパラメータセットの決定方法を示す図である。縦軸はチャネル使用率（ｇ１）であり、あらかじめ閾値１−ＶＩ（ｇ３）、閾値２−ＶＩ（ｇ２）が設定されている。横軸はＡＣ＿ＶＩで一定レート以上の送信を行うＳＴＡ台数（ｇ６）すなわち「ＡＣ＿ＶＩのＳＴＡ台数」であり、あらかじめ閾値１−ＶＩ（ｇ４）、閾値２−ＶＩ（ｇ５）が設定されている。ｇ７はＥＤＣＡパラメータセット（１）〜（９）である。例えば、計測部（ｂ２）が計測した「チャネル使用率」が閾値１−ＶＩ（ｇ３）以下、計測部（ｂ２）が計測した「ＡＣ＿ＶＩのＳＴＡ台数」が閾値１−ＶＩ（ｇ４）以下、であれば、アクセスパラメータ決定部（ｂ３）は、「ＥＤＣＡパラメータセットの値（ＡＣ＿ＶＩ）」をＥＤＣＡパラメータセット（１）と計算する。計測部（ｂ２）が計測した「チャネル使用率」が閾値１−ＶＩ（ｇ３）を超え閾値２−ＶＩ（ｇ２）以下、計測部（ｂ２）が計測した「ＡＣ＿ＶＩのＳＴＡ台数」が閾値１−ＶＩ（ｇ４）以下、であれば、アクセスパラメータ決定部（ｂ３）は、「ＥＤＣＡパラメータセットの値（ＡＣ＿ＶＩ）」をＥＤＣＡパラメータセット（４）と計算する。なお、アクセスパラメータ決定部（ｂ３）が「ＥＤＣＡパラメータセットの値（ＡＣ＿ＶＩ）」を決定するために使用する、あらかじめ用意されたテーブルは、図７の形に限らず、「チャネル使用率」と「ＡＣ＿ＶＩのＳＴＡ台数」に応じて「ＥＤＣＡパラメータセットの値（ＡＣ＿ＶＩ）」を決めることができるものであればよい。
【００３０】
次に、アクセスパラメータ決定部（ｂ３）は、「ＥＤＣＡパラメータセットの値（ＡＣ＿ＶＯ）」および「ＥＤＣＡパラメータセットの値（ＡＣ＿ＶＩ）」の両者を比較し、適切な方を選択し、ＳＴＡ（ａ２、ａ３）およびＡＰ（ａ１）が使用するＥＤＣＡパラメータセットとして決定する。
【００３１】
ＡＣ＿ＶＯやＡＣ＿ＶＩなどの高いプライオリティで送信するＳＴＡ台数が増加した場合、標準の設定値のＣＷｍｉｎ値を使用すると、衝突率が高くスループットが劣化する問題があるが、ＣＷｍｉｎ値をＳＴＡ台数増加時に大きくすることによって改善することができる。送信しようとするＳＴＡは、ＣＷｍｉｎ値以下の整数をランダムに選択し、それに対応した待ち時間の後、送信を開始する。この時、２台以上のＳＴＡが同じ整数を選択した場合、衝突が起こる。物理層にＩＥＥＥ８０２．１１ａを使った場合、８０２．１１ｅ標準では例えばＡＣ＿ＶＯのＣＷｍｉｎ値は３であり小さく、ＳＴＡ台数が多いとき衝突率の増加が問題となる。つまり、各ＳＴＡは０〜３の中で整数を選択するので、選択肢が４つしかなく、ＳＴＡ台数が多数になると４つの選択肢では、同じ整数を選択するＳＴＡはかなりの高確率で現れ、衝突する。よって、例えばＡＣ＿ＶＯでパケットを送信するＳＴＡ台数の増加とともにＡＣ＿ＶＯのＣＷｍｉｎ値を増加する制御をすることで、その分だけ衝突率を下げることができ、スループットの改善が可能である。ＡＣ＿ＶＩ、ＡＣ＿ＢＥ、ＡＣ＿ＢＫについても同様である。
【００３２】
しかし、ＣＷｍｉｎ値を増加する制御を行うと、平均遅延が増加するのでやみくもに大きくするのは逆に特性劣化を招くことになる。従って、ＳＴＡ台数が増加するのに合わせて、増加していく制御が効果的になる。
【００３３】
前記特願２００５−０５８９６２号の発明では、プライオリティの高いＡＣ＿ＶＯ、ＡＣ＿ＶＩのどちらかを単独で監視し、ＥＤＣＡパラメータを決定する方式であったが、本実施形態では、プライオリティの高いＡＣ＿ＶＯ、ＡＣ＿ＶＩの両方を監視し、両方の状態を考慮して適切なＥＤＣＡパラメータを決定する。これにより、ＡＣ＿ＶＯとＡＣ＿ＶＩでパケットを送信するＳＴＡが混在した場合にも、より適したパラメータセットの選択が可能である。
【００３４】
以下に説明する実施形態２〜７は、パラメータセットの選択のバリエーションであり、いずれの実施形態でも、ＡＣ＿ＶＯとＡＣ＿ＶＩでパケットを送信するＳＴＡが混在した場合にも、より適したパラメータセットの選択が可能である。
【００３５】
（実施形態２）
実施形態２では、アクセスパラメータ決定部（ｂ３）が「ＥＤＣＡパラメータセットの値（ＡＣ＿ＶＯ）」と「ＥＤＣＡパラメータセットの値（ＡＣ＿ＶＩ）」を比較し適切な方を選択する方法として、ＥＤＣＡパラメータセット中のＡＣ＿ＢＥ、ＡＣ＿ＢＫ、ＡＣ＿ＶＩ、ＡＣ＿ＶＯの４つのアクセスカテゴリのＣＷｍｉｎ値を合計した値が大きい方を選択する。すなわち、アクセスパラメータ決定部（ｂ３）は、ＡＣ＿ＢＥ、ＡＣ＿ＢＫ、ＡＣ＿ＶＩ、ＡＣ＿ＶＯの４つのアクセスカテゴリのそれぞれに対応するコンテンションウインドウの最小値であるＣＷｍｉｎ値を合計した値が大きい方を適切なＥＤＣＡパラメータセットとして決定する。
【００３６】
（実施形態３）
実施形態３では、アクセスパラメータ決定部（ｂ３）が「ＥＤＣＡパラメータセットの値（ＡＣ＿ＶＯ）」と「ＥＤＣＡパラメータセットの値（ＡＣ＿ＶＩ）」を比較し適切な方を選択する方法として、ＥＤＣＡパラメータセット中のＡＣ＿ＢＥ、ＡＣ＿ＢＫ、ＡＣ＿ＶＩ、ＡＣ＿ＶＯの４つのアクセスカテゴリのＣＷｍｉｎ値を、まず最もプライオリティが高いアクセスカテゴリ（一般にはＡＣ＿ＶＯが最もプライオリティが高いアクセスカテゴリである）で比較し、大きい方を選択し、もし同等であった場合は次のプライオリティにおけるＣＷｍｉｎ値を比較し大きい方を選択するというように、順次低いプライオリティで比較する手順により決定する。すなわち、アクセスパラメータ決定部（ｂ３）は、ＡＣ＿ＢＥ、ＡＣ＿ＢＫ、ＡＣ＿ＶＩ、ＡＣ＿ＶＯの４つのアクセスカテゴリに対応するコンテンションウインドウの最小値であるＣＷｍｉｎ値を「ＥＤＣＡパラメータセット（ＡＣ＿ＶＯ）」と「ＥＤＣＡパラメータセット（ＡＣ＿ＶＩ）」で比較した場合に、両者が同等でない値をもつ最も高いプライオリティのアクセスカテゴリにおいて、ＣＷｍｉｎ値が大きい方を適切なＥＤＣＡパラメータセットとして決定する。なお、アクセスカテゴリのプライオリティの順番は、任意に決めることができるが、一般には、高い方から低い方に並べると、ＡＣ＿ＶＯ、ＡＣ＿ＶＩ、ＡＣ＿ＢＥ、ＡＣ＿ＢＫの順である。
【００３７】
（実施形態４）
実施形態４では、アクセスパラメータ決定部（ｂ３）が「ＥＤＣＡパラメータセットの値（ＡＣ＿ＶＯ）」と「ＥＤＣＡパラメータセットの値（ＡＣ＿ＶＩ）」を比較し適切な方を選択する方法として、ＥＤＣＡパラメータセット中のＡＣ＿ＢＥ、ＡＣ＿ＢＫ、ＡＣ＿ＶＩ、ＡＣ＿ＶＯの４つのアクセスカテゴリのＣＷｍａｘ値を合計した値が大きい方を選択する。すなわち、アクセスパラメータ決定部（ｂ３）は、ＡＣ＿ＢＥ、ＡＣ＿ＢＫ、ＡＣ＿ＶＩ、ＡＣ＿ＶＯの４つのアクセスカテゴリのそれぞれに対応するコンテンションウインドウの最大値であるＣＷｍａｘ値を合計した値が大きい方を適切なＥＤＣＡパラメータセットとして決定する。
【００３８】
（実施形態５）
実施形態５では、アクセスパラメータ決定部（ｂ３）が「ＥＤＣＡパラメータセットの値（ＡＣ＿ＶＯ）」と「ＥＤＣＡパラメータセットの値（ＡＣ＿ＶＩ）」を比較し適切な方を選択する方法として、ＥＤＣＡパラメータセット中のＡＣ＿ＢＥ、ＡＣ＿ＢＫ、ＡＣ＿ＶＩ、ＡＣ＿ＶＯの４つのアクセスカテゴリのＣＷｍａｘ値を、まず最もプライオリティが高いアクセスカテゴリ（一般にはＡＣ＿ＶＯが最もプライオリティが高いアクセスカテゴリである）で比較し、大きい方を選択し、もし同等であった場合は次のプライオリティにおけるＣＷｍａｘ値を比較し大きい方を選択するというように、順次低いプライオリティで比較する手順により決定する。すなわち、アクセスパラメータ決定部（ｂ３）は、ＡＣ＿ＢＥ、ＡＣ＿ＢＫ、ＡＣ＿ＶＩ、ＡＣ＿ＶＯの４つのアクセスカテゴリに対応するコンテンションウインドウの最大値であるＣＷｍａｘ値を「ＥＤＣＡパラメータセット（ＡＣ＿ＶＯ）」と「ＥＤＣＡパラメータセット（ＡＣ＿ＶＩ）」で比較した場合に、両者が同等でない値をもつ最も高いプライオリティのアクセスカテゴリにおいて、ＣＷｍａｘ値が大きい方を適切なＥＤＣＡパラメータセットとして決定する。アクセスカテゴリのプライオリティの順番は実施形態３で述べたとおりである。
【００３９】
（実施形態６）
実施形態６では、アクセスパラメータ決定部（ｂ３）が「ＥＤＣＡパラメータセットの値（ＡＣ＿ＶＯ）」と「ＥＤＣＡパラメータセットの値（ＡＣ＿ＶＩ）」を比較し適切な方を選択する方法として、ＥＤＣＡパラメータセット中のＡＣ＿ＢＥ、ＡＣ＿ＢＫ、ＡＣ＿ＶＩ、ＡＣ＿ＶＯの４つのアクセスカテゴリのＴＸＯＰ ｌｉｍｉｔ値を合計した値が大きい方を選択する。すなわち、アクセスパラメータ決定部（ｂ３）は、ＡＣ＿ＢＥ、ＡＣ＿ＢＫ、ＡＣ＿ＶＩ、ＡＣ＿ＶＯの４つのアクセスカテゴリのそれぞれに対応する連続的に送信可能な時間であるＴＸＯＰ  ｌｉｍｉｔ値を合計した値が大きい方を適切なＥＤＣＡパラメータセットとして決定する。
【００４０】
（実施形態７）
実施形態７では、アクセスパラメータ決定部（ｂ３）が「ＥＤＣＡパラメータセットの値（ＡＣ＿ＶＯ）」と「ＥＤＣＡパラメータセットの値（ＡＣ＿ＶＩ）」を比較し適切な方を選択する方法として、ＥＤＣＡパラメータセット中のＡＣ＿ＢＥ、ＡＣ＿ＢＫ、ＡＣ＿ＶＩ、ＡＣ＿ＶＯの４つのアクセスカテゴリのＴＸＯＰ ｌｉｍｉｔ値を、まず最もプライオリティが高いアクセスカテゴリ（一般にはＡＣ＿ＶＯが最もプライオリティが高いアクセスカテゴリである）で比較し、大きい方を選択し、もし同等であった場合は次のプライオリティにおけるＴＸＯＰ ｌｉｍｉｔ値を比較し大きい方を選択するというように、順次低いプライオリティで比較する手順により決定する。すなわち、アクセスパラメータ決定部（ｂ３）は、ＡＣ＿ＢＥ、ＡＣ＿ＢＫ、ＡＣ＿ＶＩ、ＡＣ＿ＶＯの４つのアクセスカテゴリに対応する連続的に送信可能な時間であるＴＸＯＰ  ｌｉｍｉｔ値を「ＥＤＣＡパラメータセット（ＡＣ＿ＶＯ）」と「ＥＤＣＡパラメータセット（ＡＣ＿ＶＩ）」で比較した場合に、両者が同等でない値をもつ最も高いプライオリティのアクセスカテゴリにおいて、ＴＸＯＰ  ｌｉｍｉｔ値が大きい方を適切なＥＤＣＡパラメータセットとして決定する。アクセスカテゴリのプライオリティの順番は実施形態３で述べたとおりである。
【００４１】
以上説明した実施形態における基地局および無線端末の各部は、その機能や動作を実現する手段であり、プログラムとコンピュータで構成することができる。また、その一部または全部をハードウェアで構成してもよい。
【００４２】
以上述べた実施形態については、すべて本発明を例示的に示すものであり、限定的に示すものではない。従って本発明は他の種々の変形態様、変更態様で実施することができ、本発明の範囲は特許請求の範囲によってのみ規定されるものである。
【図面の簡単な説明】
【００４３】
【図１】本発明が使用される通信システムの形態を示す図
【図２】実施形態の基地局（ＡＰ）のシステム構成図
【図３】基地局のＥＤＣＡパラメータ更新手順を示すフローチャート
【図４】実施形態の基地局（ＳＴＡ）のシステム構成図
【図５】ＳＴＡのＥＤＣＡパラメータ受信手順を示すフローチャート
【図６】ＡＣ＿ＶＯでのＥＤＣＡパラメータセットの決定方法を示す図
【図７】ＡＣ＿ＶＩでのＥＤＣＡパラメータセットの決定方法を示す図
【符号の説明】
【００４４】
ａ１…基地局（ＡＰ）、ａ２，ａ３…無線端末（ＳＴＡ）、ｂ１…アクセスパラメータ計算部、ｂ２…計測部、ｂ３…アクセスパラメータ決定部、ｂ４…ＳＴＡ用アクセスパラメータ送信部、ｂ５…ＡＰ用アクセスパラメータ更新部、ｄ１…ＳＴＡ用アクセスパラメータ取得部、ｄ２…ＳＴＡ用アクセスパラメータ更新部
【図１】
0004451824.tif 000002
【図２】
0004451824.tif 000003
【図３】
0004451824.tif 000004
【図４】
0004451824.tif 000005
【図５】
0004451824.tif 000006
【図６】
0004451824.tif 000007
【図７】
0004451824.tif 000008